(57)【要約】      （修正有）【課題】単純化された構造を有して製造費用を節減することができるランプアセンブリ、これを有するバックライトアセンブリ、及びこれを有する表示装置を提供する。【解決手段】ランプ、ランプハウジング、及び第１ランプソケットを含むランプアセンブリを提供する。ランプは第１電極及び第２電極を有し、外部から第２電極を通じて電源電圧の提供を受けて光を発生する。ランプハウジングはランプを収納する。第１ランプソケットは、ランプハウジング内に配置されランプの一部を収納して固定させ、ランプの第１電極とランプハウジングを電気的に接続させる。【選択図】図１
2008047528.tif 000002
【特許請求の範囲】
【請求項１】
第１電極及び第２電極を有し、外部から前記第２電極を通じて電源電圧の提供を受けて光を発生するランプと、
前記ランプを収納するランプハウジングと、
前記ランプハウジング内に配置され前記ランプの一部を収納して固定し、前記ランプの第１電極と前記ランプハウジングを電気的に接続させる第１ランプソケットと、を含むことを特徴とするランプアセンブリ。
【請求項２】
前記第１ランプソケットは、
前記ランプの一部を収納するための収納空間を有する第１ソケット本体と、
前記第１ソケット本体の収納空間内に配置され、前記ランプの第１電極及び前記ランプハウジングを電気的に接続させる第１端子と、
を含むことを特徴とする請求項１記載のランプアセンブリ。
【請求項３】
前記第１ランプソケットは、前記ランプの一部が収納されることができるように開口を有し、前記開口をカバーするための第１カバーをさらに含むことを特徴とする請求項２記載のランプアセンブリ。
【請求項４】
前記第１カバーは、前記第１ソケット本体とヒンジ結合されることを特徴とする請求項３記載のランプアセンブリ。
【請求項５】
前記第１端子は、
前記第１電極と電気的に接続され、前記第１電極を固定して支持する第１電極固定部と、
前記ランプハウジングと電気的に接続されたハウジング連結部と、
前記第１電極固定部と前記ハウジング連結部とを電気的に接続するハウジング連結部の延長部と、
を含むことを特徴とする請求項２記載のランプアセンブリ。
【請求項６】
前記第１ランプソケットには貫通孔が形成され、前記ランプハウジングはその表面から突出し前記貫通孔を貫通して前記第１ランプソケットの内部に延長された端子接触部を含み、前記ハウジング連結部は前記端子接触部が挿入されるようにクリップ形状を有することを特徴とする請求項５記載のランプアセンブリ。
【請求項７】
前記第１ランプソケットには貫通孔が形成され、前記ハウジング連結部は前記貫通孔を貫通して前記第１ランプソケットの外部に延長され、前記延長部と前記ランプハウジングの内側の面とを電気的に接続することを特徴とする請求項５記載のランプアセンブリ。
【請求項８】
前記第１ランプソケットには貫通孔が形成され、前記ハウジング連結部は、前記貫通孔に隣接した前記第１ランプソケットの内側の面及び外側の面と前記内側の面と前記外側面を連結する貫通孔の側面に形成され、前記延長部及び前記ランプハウジングの内面を電気的に接続することを特徴とする請求項５記載のランプアセンブリ。
【請求項９】
前記ランプは少なくとも２つ以上が具備され、前記第１ランプソケットは内側の面から突出し前記ランプの第１電極間に延長されたリブ（ｒｉｂ）を更に含むことを特徴とする請求項１記載のランプアセンブリ。
【請求項１０】
前記ランプハウジング内に配置され前記ランプの一部を収納して固定し、前記ランプの第２電極と外部から提供された電源供給用ワイヤを電気的に接続させる第２ランプソケットを更に含むことを特徴とする請求項１記載のランプアセンブリ。
【請求項１１】
前記第２ランプソケットは、
前記ランプの一部を収納するための収納空間を有する第２ソケット本体と、
前記第２ソケット本体の収納空間内に配置され、前記ランプの第２電極及び前記電源供給用ワイヤを電気的に接続させる第２端子と、を含むことを特徴とする請求項１０記載のランプアセンブリ。
【請求項１２】
前記第２ランプソケットは、前記ランプの一部が収納されることができるように開口を有し、前記開口をカバーして前記第１ソケット本体とヒンジ結合された第２カバーを更に含むことを特徴とする請求項１１記載のランプアセンブリ。
【請求項１３】
前記第２端子は、
前記第２電極と電気的に連結され、前記第２電極を固定して支持する第２電極固定部と、
前記電源供給用ワイヤと電気的に接続されるワイヤ連結部と、
を含むことを特徴とする請求項１１記載のランプアセンブリ。
【請求項１４】
前記ランプハウジングは導電性で、光を反射する材質を含むことを特徴とする請求項１記載のランプアセンブリ。
【請求項１５】
第１電極及び第２電極を有し、光を発生するランプと、
前記ランプの第１電極と電気的に接続され、前記ランプの第２電極と電気的に絶縁されたランプリフレクタと、
前記ランプの第１電極から前記ランプリフレクタを通じてフィードバック信号の提供を受け、前記ランプの第２電極に電源電圧を提供する電源供給装置と、
を含むバックライトアセンブリ。
【請求項１６】
前記ランプリフレクタ内に配置され前記ランプの一部を収納して固定し、前記ランプの第１電極と前記ランプリフレクタを電気的に接続させる第１ランプソケットと、
前記ランプリフレクタ内に配置され前記ランプの一部を収納して固定し、前記ランプの第２電極と外部から提供された電源供給用ワイヤを電気的に接続させる第２ランプソケットと、
を更に含むことを特徴とする請求項１５記載のバックライトアセンブリ。
【請求項１７】
前記ランプリフレクタは接地連結部を含み、前記接地連結部は前記電源供給装置に前記フィードバック信号を伝達するための接地用ワイヤと電気的に接続されたことを特徴とする請求項１５記載のバックライトアセンブリ。
【請求項１８】
前記接地連結部は、前記ランプリフレクタの表面から突出し、前記接地用ワイヤの端部には前記接地連結部が挿入されるように接地端子が形成されることを特徴とする請求項１７記載のバックライトアセンブリ。
【請求項１９】
前記接地連結部は、前記ランプリフレクタの表面の一部に対応して、前記接地用ワイヤの端部には前記接地連結部と接触することができるように接地端子が形成されることを特徴とする請求項１７記載のバックライトアセンブリ。
【請求項２０】
光を利用して画像を表示する表示パネルと、
前記表示パネルに前記光を提供するバックライトアセンブリと、を含み、
前記バックライトアセンブリは、
第１電極及び第２電極を有し、外部から前記第２電極を通じて電源電圧の提供を受けて光を発生するランプ、前記ランプを収納するランプハウジング及び前記ランプハウジング内に配置され前記ランプの一部を収納して固定し、前記ランプの第１電極と前記ランプハウジングを電気的に接続させるランプソケットを含むランプアセンブリと、
前記ランプアセンブリから発生した光をガイドして前記表示パネルに光を提供する導光部材と、を含むことを特徴とする表示装置。
【発明の詳細な説明】
【技術分野】
【０００１】
本発明は、ランプアセンブリ、これを有するバックライトアセンブリ、及びこれを有する表示装置に関し、より詳細には、単純化された構造を有し、製造費用を節減することができるランプアセンブリ、これを有するバックライトアセンブリ及びこれを有する表示装置に関する。
【背景技術】
【０００２】
一般的に、液晶表示装置は、液晶の電気的特性及び光学的特性を利用して画像をディスプレイするフラットパネルディスプレイ装置のうちの１つである。
【０００３】
液晶表示装置は、液晶を制御する液晶制御ユニット及び液晶に光を供給する光供給ユニットを必要とする。例えば、液晶表示装置は液晶制御ユニットとして液晶表示パネルを含むことができ、光供給ユニットとしてバックライトアセンブリを含むことができる。
【０００４】
バックライトアセンブリは、光を発生する光源を含む。バックライトアセンブリは光源の位置によって、直下型バックライトアセンブリ及びエッジ型バックライトアセンブリに区別される。たとえば、エッジ型バックライトアセンブリは、導光板及び導光板の側部にランプ又は発光ダイオード等の光源を含む。
【０００５】
エッジ型バックライトアセンブリは、少なくとも１つ以上の細くて長い円筒形状のランプを有するランプアセンブリを含む。ランプは、電源供給用ワイヤによってインバータと接続され、インバータから電源の印加を受けて光を発生させる。
【０００６】
従来のランプアセンブリは、ランプ、ランプリフレクタ、ランプホルダ、リターンワイヤを含む電源供給用ワイヤ、リターンワイヤ固定テープ、ハーネス等の部品を含む。又、従来のランプアセンブリを組み立てるためには、ハーネスの電源供給用ワイヤにランプホルダを接続し、電源供給用ワイヤとランプを半田付けする。次に、ランプホルダを半田付けされた部分を囲むように配置し、ランプリフレクタに組み立てる。その後、リターンワイヤをランプリフレクタの背面に形成された溝に配置し、固定テープを利用してリターンワイヤを固定する。
【０００７】
このように、従来のランプアセンブリは多くの部品を含み、ランプアセンブリのリターンワイヤがランプの一側から前記一側に対応する他側に延長して配置されるので、複雑な構造を有する。このようなランプアセンブリの組立工程は主に手作業で行われるので、製造費用が増加するという問題点がある。
【発明の開示】
【発明が解決しようとする課題】
【０００８】
本発明は、このような従来の問題点を解決するためのもので、本発明の一目的は単純化された構造を有して製造費用を節減することができるランプアセンブリを提供することにある。
【０００９】
本発明の他の目的は、前記のランプアセンブリを有するバックライトアセンブリを提供することにある。
【００１０】
本発明の更なる他の目的は、前記のランプアセンブリを有する表示装置を提供することにある。
【課題を解決するための手段】
【００１１】
本発明の一目的を達成するための一実施例によるランプアセンブリは、ランプ、ランプハウジング、及び第１ランプソケットを含む。ランプは、第１電極及び第２電極を有し、外部から第２電極を通じて電源電圧の提供を受けて光を発生する。ランプハウジングは、ランプを収納する。第１ランプソケットは、ランプハウジング内に配置されランプの一部を収納して固定し、ランプの第１電極とランプハウジングを電気的に接続させる。
【００１２】
第１ランプソケットは、例えば、ランプの一部を収納するための収納空間を有する第１ソケット本体、及び第１ソケット本体の収納空間内に配置され、ランプの第１電極と前記ランプハウジングとを電気的に接続させる第１端子を含む。
【００１３】
この際、第１ランプソケットは、ランプの一部を収納できるように開口を有し、開口をカバーするための第１カバーをさらに含んでもよく、第１カバーは、第１ソケット本体とヒンジ（ｈｉｎｇｅ）結合してもよい。
【００１４】
第１端子は、例えば、第１電極と電気的に接続され、第１電極を固定して支持する第１電極固定部、ランプハウジングと電気的に接続されたハウジング連結部、及び第１電極固定部及びハウジング連結部を電気的に接続する延長部を含んでもよい。
【００１５】
一実施例として、第１ランプソケットには貫通孔が形成され、ランプハウジングはその表面から突出し貫通孔を貫通して第１ランプソケットの内部に延長された端子接触部を含み、ハウジング連結部は端子接触部が挿入されるようにクリップ形状を有してもよい。他の実施例として、第１ランプソケットには貫通孔が形成され、ハウジング連結部は貫通孔を貫通して第１ランプソケットの外部に延長され、ハウジング連結部のかかる延長部とランプハウジングの内側の面とを電気的に接続させてもよい。更に他の実施例として、第１ランプソケットに貫通孔が形成され、ハウジング連結部は、貫通孔に隣接した第１ランプソケットの内側の面及び外側の面と前記内側の面と前記外側面を連結する貫通孔の側面に形成され、ハウジング連結部のかかる延長部とランプハウジングの内側の面とを電気的に接続することができる。
【００１６】
ランプは少なくとも２つ以上が具備されてもよく、第１ランプソケットはその内側の面から突出しランプの第１電極間に延長したリブ（ｒｉｂ）を更に含んでもよい。
【００１７】
選択的に、ランプハウジング内に配置されランプの一部を収納して固定し、ランプの第２電極と外部から提供された電源供給用ワイヤとを電気的に接続させる第２ランプソケットを更に含んでもよい。
【００１８】
この際、第２ランプソケットは、ランプの一部を収納するための収納空間を有する第２ソケット本体、及び第２ソケット本体の収納空間内に配置され、ランプの第２電極及び電源供給用ワイヤを電気的に接続させる第２端子を含んでもよい。又、第２ランプソケットは、ランプの一部が収納されるように開口を有し、開口をカバーして第１ソケット本体とヒンジ結合された第２カバーとを更に含んでもよい。第２端子は、例えば、第２電極と電気的に接続され、第２電極を固定して支持する第２電極固定部、及び電源供給用ワイヤと電気的に接続されるワイヤ連結部を含む。
【００１９】
ランプハウジングは、例えば、導電性で、光を反射する材質を含む。
【００２０】
本発明の他の目的を達成するための一実施例によるバックライトアセンブリは、ランプ、ランプリフレクタ、及び電源供給装置を含む。ランプは、第１電極及び第２電極を有し、光を発生させる。ランプリフレクタは、ランプの第１電極と電気的に接続され、ランプの第２電極と電気的に絶縁される。電源供給装置は、ランプの第１電極からランプリフレクタを通じてフィードバック信号の提供を受け、ランプの第２電極に電源電圧を提供する。
【００２１】
バックライトアセンブリは、ランプリフレクタ内に配置されランプの一部を収納して固定し、ランプの第１電極とランプリフレクタを電気的に接続させる第１ランプソケット、及びランプリフレクタ内に配置されランプの一部を収納して固定し、ランプの第２電極と外部から提供された電源供給用ワイヤを電気的に接続させる第２ランプソケットを更に含んでもよい。
【００２２】
一実施例として、前記ランプリフレクタは接地連結部を含み、接地連結部は電源供給装置にフィードバック信号を伝達するための接地用ワイヤと電気的に接続されてもよいる。一実施例として、接地連結部は、ランプリフレクタの表面から突出し、接地用ワイヤの端部には接地連結部が挿入されることができるように接地端子が形成されてもよい。他の実施例として、接地連結部は、ランプリフレクタの表面の一部に対応して、接地用ワイヤの端部には接地連結部と接触することができるように接地端子が形成されてもよい。
【００２３】
前述した本発明の更なる他の目的を達成するための一実施例による表示装置は、表示パネル及びバックライトアセンブリを含む。表示パネルは、光を利用して画像を表示する。バックライトアセンブリは、表示パネルに光を提供する。バックライトアセンブリは、第１電極及び第２電極を有し、外部から第２電極を通じて電源電圧の提供を受けて光を発生させるランプ、ランプを収納して導電性物質を含むランプハウジング、及びランプハウジング内に配置されランプの一部を収納して固定し、ランプの第１電極とランプハウジングとを電気的に接続させるランプソケットを含むランプアセンブリ、及びランプアセンブリから発生した光をガイドして表示パネルに提供する導光部材を含む。
【００２４】
本発明によると、ランプアセンブリは、ランプがランプハウジングに固定され結合されるようにランプソケットを具備し、ランプの第１及び第２電極のうち、コールド電極はランプソケットを通じて導電性であるランプハウジングに電気的に接続されるので、ランプアセンブリはより単純化された構造を有することができ、ランプアセンブリの製造工程はより単純化され、その結果、ランプアセンブリの製造費用を節減することができる。
【発明を実施するための最良の形態】
【００２５】
以下、添付図面を参照して本発明の好ましい実施例によるランプアセンブリ、これを有するバックライトアセンブリ、及びこれを有する表示装置について詳細に説明する。
【００２６】
図１は、本発明の一実施例によるランプアセンブリを示す分解斜視図である。
【００２７】
図１を参照すると、ランプアセンブリ１００は、ランプ１１０、ランプハウジング１２０、第１ランプソケット１３０、及び第２ランプソケット１４０を含む。
【００２８】
ランプ１１０は、例えば、冷陰極管型蛍光ランプ（ＣＣＦＬ）である。ランプ１１０は、ランプ本体１１２、第１電極１１４、及び第２電極１１６を含む。
【００２９】
記ランプ本体１１２は棒形状のランプチューブを含む。ランプ本体１１２の両端部には、それぞれ第１電極１１４及び第２電極１１６が形成される。ランプ１１０は、外部から第２電極１１６を通じて電源電圧の提供を受けて光を発生する。
【００３０】
第１電極１１４及び第２電極１１６は、それぞれコールド電極及びホット電極として機能することができ、例えば、インバータのような電源供給装置（図示せず）に電気的に接続される。又、第１電極１１４は、電源供給装置に電気的に接続されフィードバック信号を電源供給装置に提供することができる。従って、電源供給装置はランプ１１０を安定的に駆動することができる。
【００３１】
図１において、ランプアセンブリ１００は、２つのランプ１１０を含む。これとは異なり、ランプアセンブリ１００は１つのランプ１１０を含んでもよく、３つ以上のランプ１１０を含んでもよい。
【００３２】
ランプハウジング１２０は、ベースプレート１２２、第１側壁１２４、及び第２側壁１２６を含む。ランプハウジング１２０は、ランプ１１０の第１電極１１４と電気的に接続され、前記ランプ１１０の第２電極１１６と電気的に絶縁される。
【００３３】
ベースプレート１２２、第１側壁１２４、及び第２側壁１２６は収納空間を定義する。ランプハウジング１２０は、収納空間にランプ１１０を収納する。ベースプレート１２２と向かい合う方向には、ランプ１１０を収納し、収納されたランプ１１０から発生した光を照射するために開口が形成される。ランプハウジング１２０は、ランプ１１０から発生した光を反射するようにしてもよい。このために、ランプハウジング１２０は、光反射率の高い材質を含んでもよい。
【００３４】
ベースプレート１２２は、第１ランプソケット１３０と電気的に接続されるように端子接触部１２２ａを含む。
【００３５】
第１側壁１２４及び第２側壁１２６は、ベースプレート１２２から突出し、ランプ１１０の周囲の一部を取り囲む。第１側壁１２４及び第２側壁１２６には、ランプハウジング１２０を第１及び第２ランプソケット１３０、１４０と結合するために、それぞれ第１貫通孔１２４ａ、１２４ｂ及び第２貫通孔１２６ａ、１２６ｂが形成される。第２側壁１２６は、第１側壁１２４より所定距離だけ突出した側壁突出部１２６ｃが形成される。
【００３６】
第１ランプソケット１３０は、ランプハウジング１２０の収納空間に配置される。第１ランプソケット１３０は、ランプ１１０の一端部を収納して固定し、ランプ１１０の第１電極１１４とランプハウジング１２０を電気的に接続する。この際、ランプハウジング１２０は導電性物質を含む。従って、第１ランプソケット１３０は、ランプ１１０の第１電極１１４からフィードバック信号の入力を受けてランプハウジング１２０を通じて外部に提供してもよい。
【００３７】
以下では、第１ランプソケット１３０を図面を参照してより詳細に説明する。
【００３８】
図２は、図１に図示されたランプアセンブリの第１ランプソケットを拡大して示す斜視図で、図３は、図２に図示された第１ランプソケットの平面図を示す図で、図４は、図２のＩ−Ｉ’に沿って切断した断面図である。図２乃至図４において、前記ランプ１１０及び前記ランプハウジング１２０は点線で図示される。
【００３９】
図２乃至図４を参照すると、第１ランプソケット１３０は、第１ソケット本体１３１及び第１端子１３２を含む。
【００４０】
第１ソケット本体１３１は、ランプ１１０の一端部を収納するための収納空間を有する。
【００４１】
第１端子１３２は、第１ソケット本体１３１の収納空間内に配置され、ランプ１１０の第１電極１１４及びランプハウジング１２０を電気的に接続接続する。第１端子１３２は、第１電極固定部１３２ａ及びハウジング接続部１３２ｂを含む。
【００４２】
第１電極固定部１３２ａは、ランプ１１０の第１電極１１４と電気的に接続接続され、第１電極１１４を固定して支持する。一実施例として、第１電極固定部１３２ａは第１電極１１４をグリップする形状を有する。
【００４３】
ハウジング接続部１３２ｂは、ランプハウジング１２０と電気的に接続される。この際、ランプハウジング１２０はランプハウジング１２０の表面から突出されハウジング接続部１３２ｂと電気的に接続された端子接触部１２２ａを含む。図２乃至図４に示すように、ハウジング接続部１３２ｂは、端子接触部１２２ａが挿入されるようにクリップ形状を有することができる。
【００４４】
第１電極固定部１３２ａ及びハウジング接続部１３２ｂは、延長部１３２ｃによって互いに電気的に接続される。
【００４５】
第１ランプソケット１３０は、ランプ１１０の一部が収納されることができるように開口を有する。第１ランプソケット１３０は、開口をカバーするための第１カバー１３３を更に含んでもよい。
【００４６】
図２において、第１カバー１３３は、第１ソケット本体１３１とヒンジ結合される。従って、第１カバー１３３は、本体１３１を基準として回転することができ、ランプ１１０を第１ソケット本体１３１の収納空間に配置させた後、第１カバー１３３を回転させて第１ソケット本体１３１をカバーすることができる。これとは異なり、第１カバー１３３は本体１３１とフレキシブルな材料によって結合されてもよく、他の多様な方法でも結合されてもよい。
【００４７】
第１ランプソケット１３０には貫通孔が形成されてもよい。一実施例として、第１ランプソケット１３０は第１ソケット本体１３１の底面に形成された貫通孔１３４を有する。ランプハウジング１２０は、ベースプレート１２２の表面から突出し、貫通孔１３４を貫通して第１ランプソケット１３０の内部に延長された端子接触部１２２ａを含む。例えば、ハウジング接続部１３２ｂは、端子接触部１２２ｂが挿入されるようにクリップ形状を有する。
【００４８】
第１ランプソケット１３０は、第１ソケット本体１３１の両側面に形成された第１結合突起１３５を更に含んでもよい。第１結合突起１３５は、第１側壁１２４の第１貫通孔１２４ａ及び第２側壁１２６の第２貫通孔１２６ａと対応する位置にそれぞれ形成される。従って、第１結合突起１３５と第１及び第２貫通孔１２４ａ、１２６ａによって第１ランプソケット１３０は、ランプハウジング１２０に結合されることができる。
【００４９】
第１ランプソケット１３０は、第１ソケット本体１３１の内側の面から突出しランプ１１０の第１電極１１４間に延長されたリブ１３６を更に含んでもよい。リブ１３６は、第１電極１１４間で形成される電界の影響を防止することができる。図２乃至図４において、リブ１３６は、第１ソケット本体１３１に形成されるが、これとは異なり、リブ１３６は、第１カバー１３３に形成されてもよく、第１ソケット本体１３１及び第１カバー１３３の全部に形成されてもよい。この際、第１ソケット本体１３１に形成されたリブと第２カバー１３３に形成されたリブは交互に配置されてもよい。
【００５０】
図１を更に参照すると、第２ランプソケット１４０は、ランプハウジング１２０の収納空間に配置される。第２ランプソケット１４０は、ランプ１１０の一端部を収納して固定し、ランプ１１０の第２電極１１６と外部から提供された電源供給用ワイヤ１４７を電気的に接続させる。従って、第２ランプソケット１４０は、外部から提供された電源電圧をランプ１１０の第２電極１１６に印加する。
【００５１】
以下では、第２ランプソケット１４０を図面を参照してより詳細に説明する。
【００５２】
図５は、図１に図示されたランプアセンブリの第２ランプソケットを拡大して示す斜視図で、図６は、図５に図示された第２ランプソケットの平面図を示す図で、図７は、図５のＩＩ−ＩＩ’に沿って切断した断面図を示す図である。
【００５３】
図５乃至図７を参照すると、第２ランプソケット１４０は、第２ソケット本体１４１及び第２端子１４２を含む。
【００５４】
第２ソケット本体１４１は、ランプ１１０の一端部を収納するための収納空間を有する。
【００５５】
第２端子１４２は、第２ソケット本体１４１の収納空間内に配置され、ランプ１１０の第２電極１１６と外部から提供された電源供給用ワイヤ１４７とを電気的に接続する。第２端子１４２は、第２電極固定部１４２ａ及びワイヤ接続部１４２ｂを含む。
【００５６】
第２電極固定部１４２ａは、ランプ１１０の第２電極１１６と電気的に接続され、第２電極１１６を固定して支持する。一実施例として、第２電極固定部１４２ａは、第２電極１１６をグリップする形状を有する。
【００５７】
ワイヤ接続部１４２ｂは、電源供給用ワイヤ１４７と電気的に接続される。この際、電源供給用ワイヤワイヤ１４７は、電源供給装置（図示せず）と電気的に接続されている。図５乃至図７に示すように、ワイヤ接続部１４２ｂは、電源供給用ワイヤ１４７が挿入されるように円筒形状を有してもよい。これとは異なり、ワイヤ接続部１４２ｂは、電源供給用ワイヤ１４７が固定され、第２電極固定部１４２ａと電気的に接続されるように多様な形状を有してもよい。
【００５８】
第２電極固定部１４２ａ及びワイヤ接続部１４２ｂは、延長部１４２ｃによって互いに電気的に接続される。
【００５９】
第２ランプソケット１４０は、ランプ１１０の一部が収納されることができるように開口を有する。第２ランプソケット１４０は、開口をカバーするための第２カバー１４３を更に含んでもよい。
【００６０】
図５において、第２カバー１４３は、第２ソケット本体１４１とヒンジ結合される。従って、第２カバー１４３は、第２ソケット本体１４１を基準として回転することができ、ランプ１１０を第２ソケット本体１４１の収納空間に位置させた後、第２カバー１４３を回転させて第２ソケット本体１４１をカバーすることができる。これとは異なり、第２カバー１４３は、第２ソケット本体１４１とフレキシブルな材料によって結合されることができ、他の多様な方法で結合されてもよい。
【００６１】
第２ランプソケット１４０は、第２ソケット本体１４１の両側面に形成された第２結合突起１４５を更に含んでもよい。第２結合突起１４５は、第１側壁１２４の第１貫通孔１２４ｂ及び第２側壁１２６の第２貫通孔１２６ｂと対応する位置にそれぞれ形成される。従って、第２結合突起１４５と第１及び第２貫通孔１２４ｂ、１２６ｂによって第２ランプソケット１４０は、ランプハウジング１２０に結合される。
【００６２】
第２ランプソケット１４０は、第２ソケット本体１４１の内側の面から突出しランプ１１０の第２電極１１６間に延長されたリブ１４６を更に含んでもよい。リブ１４６は、第２電極１１６間で形成される電界の影響を防止することができる。図５乃至図７において、リブ１４６は、第２ソケット本体１４１に形成されるが、これとは異なり、リブ１４６は第２カバー１４３に形成されてもよく、第２ソケット本体１４１及び第２カバー１４３の全部に形成されてもよい。この際、第２ソケット本体１４１に形成されたリブと第２カバー１４３に形成されたリブは交互に配置されてもよい。
【００６３】
図８及び図９は、図１に図示されたランプアセンブリの一実施例による接地端子及び接地接続部の接続を説明するための斜視図である。
【００６４】
図８及び図９を参照すると、ランプハウジング１２０は接地接続部１２６ｄを更に含んでもよい。
【００６５】
接地接続部１２６ｄは、第２側壁１２６の側壁突出部１２６ｃからランプハウジング１２０の長手方向に突出される。
【００６６】
接地接続部１２６ｄは、外部から提供される接地用ワイヤ１５０と電気的に接続され、接地用ワイヤ１５０は、電源供給装置（図示せず）と電気的に接続される。電源供給装置は、第１電極１１４からフィードバック信号の提供を受けてもよい。
【００６７】
具体的に、第２電極１１６に印加された電源電圧によってランプ１１０が駆動され、所定の値に減少された電位レベルのようなフィードバック信号は、第１電極１１４からフィードバックされ、ランプハウジング１２０と接地用ワイヤ１５０を通じて電源供給装置に入力される。これによって、フィードバック信号を基準信号として利用してランプ１１０の輝度を調節してもよく、電源供給装置の安定性を確保することができる。その結果、電源供給装置は、ランプ１１０を安定的に駆動することができる。
【００６８】
接地接続部１２６ｄが接地用ワイヤ１５０と電気的に接続されるために、接地用ワイヤ１５０の端部には接地端子１５２が形成される。
【００６９】
図８及び図９において、突起形状の接地接続部１２６ｄが挿入されるように接地端子１５２はソケット形状を有する。これとは異なり、接地端子１５２は、接地接続部１２６ｄと結合できる多様な異なる形状を有してもよい。
【００７０】
図８及び図９では、接地接続部１２６ｄが第２側壁１２６の側壁突出部１２６ｃから突出され形成される。これとは異なり、ランプハウジング１２０が導電性なので、ランプハウジング１２０の他の位置に形成してもよい。
【００７１】
図８及び図９において、接地用ワイヤ１５０は、１つのワイヤで構成される。これとは異なり、接地用ワイヤ１５０は、ランプ１１０の個数に対応して２つのワイヤで構成されてもよい。この場合、接地用ワイヤ１５０は、従来のランプアセンブリの接地用ワイヤと互換されることができる。
【００７２】
図１０及び図１１は、図１に図示されたランプアセンブリの他の実施例による接地端子及び接地接続部の接続を説明するための斜視図である。
【００７３】
図１０及び図１１を参照すると、ランプハウジング１２０は、接地接続部１２６ｅを有する。
【００７４】
接地接続部１２６ｅは、第２側壁１２６の側壁突出部１２６ｃの下部面の一部に対応する。
【００７５】
接地接続部１２６ｅは、外部から提供される接地用ワイヤ１５０と電気的に接続され、接地用ワイヤ１５０は、電源供給装置（図示せず）と電気的に接続される。電源供給装置は、第１電極１１４からフィードバック信号の提供を受けてもよい。
【００７６】
具体的に、第２電極１１６に印加された電源電圧によってランプ１１０が駆動し、所定の値に減少された電位レベルのようなフィードバック信号は、第１電極１１４からフィードバックされランプハウジング１２０と接地用ワイヤ１５０を通じて電源供給装置に入力される。これによって、フィードバック信号を基準信号として利用してランプ１１０の輝度を調節してもよく、電源供給装置の安定性を確保することができる。その結果、電源供給装置は、ランプ１１０を安定的に駆動することができる。
【００７７】
接地接続部１２６ｅが接地用ワイヤ１５０と電気的に接続されるために、接地用ワイヤ１５０の端部には接地端子１５４が形成される。
【００７８】
図１０及び図１１において、平らな表面である接地接続部１２６ｅに接続されるように接地端子１５４はフラットな形状を有する。これとは異なり、接地端子１５４は、接地接続部１２６ｅと結合されることができる多様な異なる形状を有してもよい。
【００７９】
接地端子１５４は、接地接続部１２６ｅと導電性接着剤、導電性接着テープ、半田等によって電気的に接続されてもよい。
【００８０】
図１０及び図１１では、接地接続部１２６ｅが第２側壁１２６の側壁突出部１２６ｃの下部面の一部に対応する。これとは異なり、ランプハウジング１２０が導電性なので、ランプハウジング１２０の他の位置に対応してもよい。
【００８１】
図１０及び図１１において、接地用ワイヤ１５０は１つのワイヤで構成される。これとは異なり、接地用ワイヤ１５０は、ランプ１１０の個数に対応して２つのワイヤで構成されてもよい。この場合、接地用ワイヤ１５０は従来のランプアセンブリの接地用ワイヤと互換されることができる。
【００８２】
図１２及び図１３は、本発明の他の実施例によるランプアセンブリの第１ランプソケットを示す断面図である。
【００８３】
図１２及び図１３を参照すると、第１ランプソケット１７０は、第１ソケット本体１７１、第１端子１７２、第１カバー１７３、貫通孔１７４、第１結合突起（図示せず）、及びリブ１７６を含む。
【００８４】
第１端子１７２は、第１電極固定部１７２ａ、ハウジング連結部１７２ｂ、及びハウジング連結部の延長部１７２ｃを含む。
【００８５】
第１ランプソケット１７０はハウジング連結部１７２ｂを除くと、図２乃至図４に図示された第１ランプソケット１３０と実質的に同じなので、重複説明は省略する。
【００８６】
ハウジング連結部１７２ｂは、貫通孔１７４を貫通して第１ソケット本体１７１の外部に延長される。延長されたハウジング連結部１７２ｂは、ランプハウジング１２０のベースプレート１２２の内側の面と接触する。これによって、ランプ１１０の第１電極１１４は第１端子１７２を通じてランプハウジング１２０に電気的に接続される。
【００８７】
図１２及び図１３に示すように、ハウジング連結部１７２ｂは、第１ランプソケット１７０とランプハウジング１２０が結合されるとき、ランプハウジング１２０のベースプレート１２２に向かって復元力を有する構造を有するので、ハウジング接続部１７２ｂはランプハウジング１２０のベースプレート１２２により強く密着されることができる。
【００８８】
ランプハウジング１２０のベースプレート１２２は、図２乃至図４に図示されたように端子接触部１２２ａを具備する必要がないので、より単純化された構造を有することができる。
【００８９】
図１４及び図１５は、本発明の更に他の実施例によるランプアセンブリの第１ランプソケットを示す断面図である。
【００９０】
図１４及び図１５を参照すると、第１ランプソケット１８０は、第１ソケット本体１８１、第１端子１８２、第１カバー１８３、貫通孔１８４、第１結合突起（図示せず）、及びリブ１８６を含む。
【００９１】
第１端子１８２は、第１電極固定部１８２ａ、ハウジング連結部１８２ｂ、及びハウジング連結部の延長部１８２ｃを含む。
【００９２】
第１ランプソケット１８０はハウジング連結部１８２ｂを除くと、図２乃至図４に図示された第１ランプソケット１３０と実質的に同じなので、重複説明は省略する。
【００９３】
ハウジング連結部１８２ｂは、貫通孔１８４に沿って第１ソケット本体１８１上に形成される。具体的に、ハウジング連結部１８２ｂは、貫通孔１８４に隣接した第１ソケット本体１８１の内側の面及び外側の面と前記内側の面と前記外側面を連結する貫通孔の側面に形成される。ハウジング連結部１８２ｂは、ハウジング連結部の延長部１８２ｃ及びランプハウジング１２０のベースプレート１２２の内側の面と接触する。これによって、ランプ１１０の第１電極１１４は、第１端子１８２を通じてランプハウジング１２０に電気的に接続されることができる。
【００９４】
ランプハウジング１２０のベースプレート１２２は、図２乃至図４に示すような端子接触部１２２ａを具備する必要がないので、より単純化された構造を有することができる。
【００９５】
図１６は、本発明の一実施例によるバックライトアセンブリを示す分解斜視図である。
【００９６】
図１６を参照すると、バックライトアセンブリ７００は、ランプアセンブリ１００、導光部材２００、光反射部材３００、及び収納容器４００を含む。
【００９７】
ランプアセンブリ１００は、図１に図示されたランプアセンブリ１００と実質的に同じなので、同じ部材についての重複説明は省略する。
【００９８】
導光部材２００は、ランプアセンブリ１００から発生した光をガイドして上部に向かって出射する。
【００９９】
光反射部材３００は、例えば、シート形状を有し、導光部材２００から漏洩した光を更に導光部材２００に向かって反射する。
【０１００】
収納容器４００は、底板４１０及び底板４１０から突出した側壁４２０を含み、底板４１０及び側壁４２０が定義する収納空間には、ランプアセンブリ１００、導光部材２００、光反射部材３００が収納される。
【０１０１】
バックライトアセンブリ７００は、光学部材５００を更に含んでもよい。光学部材５００は導光部材２００の上部に配置され、例えば、光拡散板５１０及び少なくとも１つの光学シート５２０を含む。光拡散板５１０は、導光部材２００から出射された光の提供を受けて、光を拡散させる。光学シート５２０は、拡散板５１０から拡散された光の提供を受けて、拡散された光の光学特性を向上させる。
【０１０２】
図１６に図示されたバックライトアセンブリ７００は、図１に図示されたランプアセンブリ１００を採用する。この際、ランプアセンブリ１００は、図８及び図９に図示された接地端子１５２及び接地接続部１２６ｄによって接地される。これとは異なり、ランプアセンブリ１００は、図１０及び図１１に図示された接地端子１５４及び接地連結部１２６ｅによって接地されてもよい。
【０１０３】
又、図１６に図示されたバックライトアセンブリ７００は、図１に図示されたランプアセンブリ１００を採用するので、バックライトアセンブリ７００は、図２乃至図４に図示された第１ランプソケット１３０を具備する。これとは異なり、バックライトアセンブリ７００は、図１２及び図１３に図示された第１ランプソケット１７０を具備してもよく、図１４及び図１５に図示された第１ランプソケット１８０を具備してもよい。
【０１０４】
図１７は、本発明の一実施例による表示装置を示す分解斜視図である。
【０１０５】
図１７を参照すると、表示装置１０００は、バックライトアセンブリ７００、表示パネル８００、及びシャーシ９００を含む。
【０１０６】
バックライトアセンブリ７００は、図１６に図示されたバックライトアセンブリ７００と実質的に同じなので、同じ部材についての重複説明は省略する。
【０１０７】
表示パネル８００は、第１基板８１０、第１基板８１０と対向する第２基板８２０及び第１及び第２基板８１０、８２０の間に介在された液晶層（図示せず）を含む。
【０１０８】
第１基板８１０はマトリックス形状に配列され、透明な導電性材質からなる画素電極（図示せず）を含む。第１基板８１０は、それぞれの画素電極に駆動信号をスイッチングする薄膜トランジスタ（ＴＦＴ）（図示せず）を含む。
【０１０９】
第２基板８２０は、所定の波長を有する光を選択的に透過させるカラーフィルタ（図示せず）を含む。第２基板８２０は、第１基板８１０の画素電極に対応して透明な導電性材質からなる共通電極（図示せず）を含む。
【０１１０】
表示パネル８００は、印刷回路基板８３０及び印刷回路フィルム８４０を更に含む。印刷回路基板８３０は、表示パネル８００を駆動させるための駆動信号を発生する。印刷回路基板８３０は、印刷回路フィルム８４０によって第１基板８１０のエッジに電気的に接続される。
【０１１１】
印刷回路基板８３０から印加された駆動信号は、第１基板８１０と第２基板８２０の間に電界を形成し、これによって第１基板８１０と第２基板８２０の間に介在された液晶層の配向を変更させる。これによって、光学部材５００から提供される光の透過度が変更され、表示装置１０００は所望する諧調の画像を表示する。
【産業上の利用可能性】
【０１１２】
本発明によると、ランプアセンブリは、ランプがランプハウジングに固定され結合されることができるようにランプソケットを具備し、ランプの第１及び第２電極のうち、コールド電極はランプソケットを通じて導電性であるランプハウジングに電気的に接続される。
【０１１３】
従って、コールド電極は、ランプハウジングを通じて電源供給装置と電気的に接続され接地されることができるので、従来のリターンワイヤを省略することができ、ランプアセンブリは、より単純化された構造を有することができる。
【０１１４】
又、ランプソケットがランプと電源供給用ワイヤを電気的に接続するので、従来の半田付け作業を省略することができ、ランプアセンブリの製造工程はより単純化されることができる。
【０１１５】
従って、ランプアセンブリの部品数が減少され、製造工程が単純化されるので、ランプアセンブリの製造費用を節減することができる。
【０１１６】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１１７】
【図１】本発明の一実施例によるランプアセンブリを示す分解斜視図である。
【図２】図１に図示されたランプアセンブリの第１ランプソケットを拡大して示す斜視図である。
【図３】図２に図示された第１ランプソケットの平面図である。
【図４】図２のＩ−Ｉ’に沿って切断した断面図である。
【図５】図１に図示されたランプアセンブリの第２ランプソケットを拡大して示す斜視図である。
【図６】図５に図示された第２ランプソケットの平面図である。
【図７】図５のＩＩ−ＩＩ’に沿って切断した断面図である。
【図８】図１に図示されたランプアセンブリの一実施例による接地端子及び接地連結部の接続を説明するための斜視図である。
【図９】図１に図示されたランプアセンブリの一実施例による接地端子及び接地連結部の接続を説明するための斜視図である。
【図１０】図１に図示されたランプアセンブリの他の実施例による接地端子及び接地連結部の接続を説明するための斜視図である。
【図１１】図１に図示されたランプアセンブリの他の実施例による接地端子及び接地連結部の接続を説明するための斜視図である。
【図１２】本発明の他の実施例によるランプアセンブリの第１ランプソケットを示す断面図である。
【図１３】本発明の他の実施例によるランプアセンブリの第１ランプソケットを示す断面図である。
【図１４】本発明の更なる他の実施例によるランプアセンブリの第１ランプソケットを示す断面図である。
【図１５】本発明の更なる他の実施例によるランプアセンブリの第１ランプソケットを示す断面図である。
【図１６】本発明の一実施例によるバックライトアセンブリを示す分解斜視図である。
【図１７】本発明の一実施例による液晶表示装置を示す分解斜視図である。
【符号の説明】
【０１１８】
１００    ランプアセンブリ
１１０    ランプ
１２０    ランプハウジング
１３０、１７０、１８０    第１ランプソケット
１３１、１７１、１８１    第１ソケット本体
１３２、１７２、１８２    第１端子
１３３、１７３、１８３    第１カバー
１３４、１７４、１８４    貫通孔
１３５    第１結合突起
１３６、１７６、１８６    リブ
１４０    第２ランプソケット
１５０    接地用ワイヤ
７００    バックライトアセンブリ
１０００    表示装置
【図１】
2008047528.tif 000003
【図２】
2008047528.tif 000004
【図３】
2008047528.tif 000005
【図４】
2008047528.tif 000006
【図５】
2008047528.tif 000007
【図６】
2008047528.tif 000008
【図７】
2008047528.tif 000009
【図８】
2008047528.tif 000010
【図９】
2008047528.tif 000011
【図１０】
2008047528.tif 000012
【図１１】
2008047528.tif 000013
【図１２】
2008047528.tif 000014
【図１３】
2008047528.tif 000015
【図１４】
2008047528.tif 000016
【図１５】
2008047528.tif 000017
【図１６】
2008047528.tif 000018
【図１７】
2008047528.tif 000019